(57)【要約】      （修正有）【課題】ポイントサービスを安価に実現する小売店用販売促進媒体セットを提供する。【解決手段】小売店用販売促進媒体セット１０は、購入証明シール１と台紙２との２種類の媒体を含み、購入証明シール１は、小売店１１のレシートプリンタが発行するレシート６に精算金額に応じて印刷されている。消費者１２は、受け取ったレシート６から購入証明シール１を切り取って台紙２の貼付欄に貼り付ける。そして、所定数の購入証明シール１を台紙２の貼付欄に貼付けた消費者１２は、予め小売店１１が定めた対象商品を特別価格で購入できるようにすることで、小売店用販売促進媒体セット１０は、セルフリキデーション型の販売促進を支援する。【選択図】図１
0003210685.tif 000002
【実用新案登録請求の範囲】
【請求項１】
消費者による買い物の精算時に発行されるレシートに精算金額に応じた数が印刷される購入証明シールと、
所定数の前記購入証明シールの貼付欄を備える台紙と、
を含む小売店用販売促進媒体セットであって、
前記台紙に前記所定数の前記購入証明シールを貼付けた消費者が予め小売店が定めた対象商品を特別価格で購入できるキャンペーンに使用されることを特徴とする小売店用販売促進媒体セット。
【請求項２】
前記購入証明シールはイメージデータであって、レシートプリンタによってレシート紙面に印刷されることを特徴とする請求項１に記載の小売店用販売促進媒体セット。
【考案の詳細な説明】
【技術分野】
【０００１】
本考案は、小売店の販売を促進するためのツールとなる小売店用販売促進媒体セットに関する。
【背景技術】
【０００２】
従来より、商品を販売し又はサービスを提供する小売店等においては、販売促進及び顧客の固定化を図るなどの目的のために、顧客に対して購入額に応じてポイントを付与して、ポイントの累計残高に応じてクーポン券や景品等を提供することが行われている。このようなポイントサービスは、例えば、所定の台紙上にシールチップを貼付たりスタンプを捺印していくことで獲得した累積ポイントを管理するのが一般的である（例えば、特許文献１を参照）。
【０００３】
しかしながら、スタンプの捺印はレジの精算係の業務への負担を招き、買い物が集中する時間帯ではレジの前で大勢の顧客が並んで精算を待つ状況が発生する。しかも、捺印を忘れたり捺印数が精算金額に対応していないなどのミスも起きる。そして、消費者自らが台紙上にシールチップを貼付ける方式であっても、レジの精算係は精算金額に応じた枚数のシールチップを取り出して消費者に手渡す手間があり、スタンプ捺印と同様な問題がある。また、シールチップの場合には、シールチップを精算レジの周辺に常に潤沢に用意しておかなければならないばかりか、シールチップの分のコストも嵩む。
【０００４】
そこで、シールチップやスタンプを必要としないポイントサービス方式としては、コンピュータ読み取り可能なプログラムによって実行され、商品およびサービスの購買に応じて顧客に発行され一定の基準に従って特典に還元されるサービススタンプをコンピュータシステムにより電子スタンプカードで処理するサービススタンプ管理発行システムも知られている（例えば、特許文献２を参照）。
【先行技術文献】
【特許文献】
【０００５】
【特許文献１】実用新案登録第３１１０９１５号公報
【特許文献２】特開２００９−１６９８３４号公報
【考案の概要】
【考案が解決しようとする課題】
【０００６】
しかしながら、電子スタンプカードは、コンピュータシステムで構築されるために初期投資の費用が嵩み、小規模の小売店にはそぐわない。
【０００７】
一方、ポイントサービスで顧客が得られる優待サービスとしては、シールチップやスタンプを所定数貯めることで、顧客が欲しいと思える価値のある商品を特別価格で購入することができるようにした、所謂、セルフリキデーション（「自己清算方式」）と称される形態がある。
【０００８】
このようなセルフリキデーション型のポイントサービスにおいては、スタンプやシールチップを台紙に捺印したり貼り付けたりする方式を採れば、顧客は欲しい商品を購入できるようになるまでのポイントを集める過程を実感できるためポイント集めの動機付けが高まり、小売店の販売促進に大いに効果がある。
【０００９】
本考案は、上記点に鑑みて、従来のスタンプやシールチップによるポイントサービスを安価に実現することで、セルフリキデーション型のポイントサービスの実施に適した小売店用販売促進媒体セットを提供することを目的とする。
【課題を解決するための手段】
【００１０】
本考案は、消費者による買い物の精算時に発行されるレシートに精算金額に応じた数が印刷される購入証明シールと、所定数の前記購入証明シールの貼付欄を備える台紙と、を含む小売店用販売促進媒体セットであって、前記台紙に前記所定数の前記購入証明シールを貼付けた消費者が予め小売店が定めた対象商品を特別価格で購入できるキャンペーンに使用される。
【００１１】
そして、前記購入証明シールはメモリに格納されているイメージデータであってもよい。この場合の購入証明シールは、レシートプリンタが売上明細に加えてこのイメージデータを印刷することで、消費者に提供される。
【考案の効果】
【００１２】
本考案による小売店用販売促進媒体セットによれば、購入証明シールは、顧客の買い物の精算時に発行されるレシートに印刷されており、レシートから切り離して台紙に貼り付けてポイントを貯めていくために、特別のシールチップやスタンプを用いずに安価にセルフリキデーション型のポイントサービスを運用することができる。
【図面の簡単な説明】
【００１３】
【図１】本考案に係る小売店用販売促進媒体セットを用いた販売促進の概念図を示す。
【図２】（ａ）はキャッシュレジスタから発行される購入証明シール付きのレシートの模式図を示し、（ｂ）は購入証明シール付きのレシートを発行するレシートプリンタを内蔵しているキャッシュレジスタの例示図をそれぞれ示す。
【図３】図２（ｂ）のキャッシュレジスタの各部の電気的接続をブロック図で示す。
【図４】購入証明シールを貼り付ける台紙表面の説明図を示す。
【考案を実施するための形態】
【００１４】
本考案の実施の形態について、図面を参照しながら詳細に説明する。図１は、本考案に係る小売店用販売促進媒体セット１０を用いた販売促進の概念図を示し、小売店用販売促進媒体セット１０は、小売店１１が予め定めた一つ又は複数の対象商品１３を一定期間内に特別価格で販売するセルフリキデーション型のキャンペーンを実施するのに用いられる。
【００１５】
ここでの対象商品は景品的な安価な商品ではなく、実際に市販されていて消費者１２がお金を出してでも購入したい価値ある商品であることが好ましい。そして、必ずしも当該小売店１１で常に販売している商品とは限らず、その期間だけ販売する期間限定の商品でもよい。例えば、当該小売店１１では取り扱っていないが、キャンペーン期間だけ販売するような場合があたる。また、共同でキャンペーンを実施する他の小売店で取り扱っている商品であってもよい。
【００１６】
小売店用販売促進媒体セット１０は、買い物の精算時に発行されるレシートに印字されている購入証明シール１と、購入証明シール１を貼付けるための台紙２の、２種類の媒体から成る。
【００１７】
このキャンペーン期間内において、小売店１１は、消費者１２が買い物金額を精算したとき、精算金額に応じた数の購入証明シール１が印刷されているレシート６を発行する。そして、消費者１２は、レシート６から購入証明シール１を切り取って台紙２に貼っていき所定枚数まで貯めると、対象商品を特別価格で購入することができる。以下、小売店用販売促進媒体セット１０のそれぞれについて、詳細に説明する。
【００１８】
購入証明シール１は、図２に示すように、消費者１２の買い物の精算時にキャッシュレジスタ５から発行されるレシート６に精算金額に応じた個数が印刷される。図２（ａ）では、９５０円の買い物の明細と共に３個の購入証明シール１が印刷されており、精算金額が３００円毎に１個の購入証明シール１が印刷される。
【００１９】
図３は、図２（ｂ）に示すキャッシュレジスタ５の各部の電気的接続を示している。まず、各種処理を統括して制御するＣＰＵ２１が設けられ、このＣＰＵ２１には動作プログラム等の固定データを格納するＲＯＭ２２と、可変データを格納するＲＡＭ２３とが接続され、このＲＡＭ２３には、ＰＬＵ（Ｐｒｉｃｅ  Ｌｏｏｋ  Ｕｐ）ファイル２３ａ及び購入証明シールイメージファイル２３ｂ等が格納されている。そして、ＣＰＵ２１には、ドロワ２５、キー入力装置２６、表示部２７、レシートプリンタ２８、及びバーコードスキャナ２９が接続されている。
【００２０】
ＰＬＵファイル２３ａは、バーコードスキャナ２９によって読み取られる商品コードと商品名と価格とを対応させて記憶している。購入証明シールイメージファイル２３ｂは、レシートプリンタ２８がレシート６に印刷する購入証明シール１のイメージデータを記憶している。これらのＰＬＵファイル２３ａ及び購入証明シールイメージファイル２３ｂは、上位のコンピュータとの通信によりダウンロードされてＲＡＭ２３に格納される。
【００２１】
キャッシュレジスタ５は、広告等の任意の情報をＲＡＭ２３に記憶させることで、売上明細以外にこれらの情報をレシート６に印刷できるような機能を通常備えている。この機能を利用して、購入証明シールイメージファイル２３ｂをＲＡＭ２３に記憶させることで、レシート６に購入証明シール１を印刷することは容易に実現される。
【００２２】
具体的には、ＲＯＭ２２の動作プログラムには、消費者１２の買い物の精算金額に応じて購入証明シール１の数を決定し、決定した数の購入証明シール１を売上明細と共にレシート原紙に印刷するようレシートプリンタ２８を制御する手順が組み込まれている。
【００２３】
よって、本実施形態における購入証明シール１とは、購入証明シールイメージファイル２３ｂに格納されている電子データを意味している。しかし、購入証明シール１の形状そのものを意味する別の実施形態もある。この実施形態では、レシート原紙に予め購入証明シール１を印刷しておき、レシート発行時にはこのレシート原紙に売上明細書を印刷するものである。
【００２４】
台紙２は、図４に示すように、購入証明シール１の貼付欄を複数備える。貼付欄は、対象商品を特別価格で入手できる資格を得るまでに必要な購入証明シール１の数に応じて設けられる。そして、台紙２は、シール配布期間表示欄と特別価格購入期間表示欄とが設けられており、消費者１２はシール配布期間内に発行されるレシート６に印刷されている購入証明シール１を所定枚数集めて台紙２に貼り付けて、本例では１５枚まで貼り付けると、対象商品を特別価格で購入できる。
【００２５】
小売店用販売促進媒体セット１０は、必ずしも小売店１１が準備するとは限らず、小売店１１の販売促進を支援する業者が準備して提供する形態もあり得る。その場合、購入証明シール１のイメージデータを外部メモリに格納して、台紙２と共に小売店１１に提供することで、購入証明シール１は、外部メモリからＲＡＭ２３の購入証明シールイメージファイル２３ｂに展開される。
【００２６】
上記の小売店用販売促進媒体セット１０を用いてセルフリキデーション型のキャンペーンを実施すれば、消費者１２は購入証明シール１をレシート６から切り取って台紙２に貼り付けるので、シールチップを特別に用意する必要がなく安価にキャンペーンを実施できる。しかも、レシート６は必ず発行されるものであるから、購入証明シール１を消費者に手渡すのに手間も掛らず、キャンペーン中に精算オペレーションの効率が低下することもない。
【００２７】
また、購入証明シール１を台紙２の貼付欄に貼っていくことで、消費者１２は欲しい商品（対象商品）を特別価格で購入できることから、購入証明シール１を集める強い動機付けとなる。よって、消費者１１は積極的に当該小売店１１で買い物する意識が高まり、小売店にとって販売促進となる。併せて、対象商品の売上向上も図れる。
【符号の説明】
【００２８】
１    購入証明シール
２    台紙
６    レシート
２３  メモリ（ＲＡＭ）
２４  電子媒体
２８  レシートプリンタ
【図１】
0003210685.tif 000003
【図２】
0003210685.tif 000004
【図３】
0003210685.tif 000005
【図４】
0003210685.tif 000006